(57)【要約】【課題】長時間の血液浄化治療における浄化液バッグの交換による医師や看護師の負担を軽減し、血液浄化治療の低コスト化を実現する。【解決手段】血液浄化システムＡは、血液浄化器１０を有する血液回路１１と、血液浄化器１０に血液の浄化液を供給し排出する浄化液回路１２と有する血液浄化装置１と、浄化液を生成する浄化液生成装置２と、浄化液生成装置２で生成された浄化液を、浄化液回路１２の浄化液バッグ５０に補充するために、浄化液生成装置２と浄化液回路１２とを接続する浄化液補充回路３と、浄化液バッグ５０の浄化液の液量が所定の閾値以下になったときに、浄化液生成装置２の浄化液が浄化液補充回路３を通じて浄化液バッグ５０に補充されるように、血液浄化装置１と浄化液生成装置２との間で情報の通信を行う通信手段４と、を有する。【選択図】図１
2012200275.tif 000002
【特許請求の範囲】
【請求項１】
体内から取り出された血液を血液浄化器に供給し、当該血液浄化器で浄化された血液を体内に戻す血液回路と、前記血液浄化器に血液の浄化液を供給し排出する浄化液回路とを有し、前記浄化液回路には、前記血液浄化器に供給する浄化液の浄化液バッグが設けられている、血液浄化装置と、
前記浄化液を生成する浄化液生成装置と、
前記浄化液生成装置で生成された浄化液を、前記血液浄化装置の浄化液バッグに補充するために、前記浄化液生成装置と前記血液浄化装置の浄化液回路とを接続する浄化液補充回路と、
前記浄化液バッグの浄化液の液量が所定の閾値以下になったときに、前記浄化液生成装置の浄化液が前記浄化液補充回路を通じて前記浄化液バッグに補充されるように、前記血液浄化装置と前記浄化液生成装置との間で情報の通信を行う通信手段と、を有する、血液浄化システム。
【請求項２】
前記浄化液回路には、前記浄化液バッグの浄化液を前記血液浄化器に送るためのチューブポンプが設けられ、
前記浄化液補充回路は、前記浄化液回路における前記浄化液バッグと前記チューブポンプとの間に接続されている、請求項１に記載の血液浄化システム。
【請求項３】
前記血液浄化装置は、前記浄化液バッグの浄化液の量を検出する浄化液検出部を有し、
前記通信手段は、前記浄化液検出部により検出された浄化液バッグの浄化液の液量に基づいて、前記浄化液生成装置の浄化液が前記浄化液バッグに補充されるように、前記血液浄化装置と前記浄化液生成装置との間で情報の通信を行う、請求項１又は２に記載の血液浄化システム。
【請求項４】
前記浄化液回路に設けられ、前記血液浄化器から排出された浄化廃液を貯留する浄化廃液バッグと、
前記浄化廃液バッグの浄化廃液を前記浄化液生成装置に回収するために、前記血液浄化装置の浄化液回路と前記浄化液生成装置とを接続する浄化廃液回収回路と、を有し、
前記通信手段は、前記浄化廃液バッグの浄化廃液の液量が所定の閾値以上になったときに、前記浄化廃液バッグの浄化廃液が前記浄化廃液回収回路を通じて前記浄化液生成装置に回収されるように、前記血液浄化装置と前記浄化液生成装置との間で情報の通信を行う、請求項１〜３のいずれかに記載の血液浄化システム。
【請求項５】
前記浄化液回路には、前記血液浄化器から排出された浄化廃液を前記浄化廃液バッグに送るためのチューブポンプが設けられ、
前記浄化廃液回収回路は、前記浄化液回路における前記浄化廃液バッグと前記チューブポンプとの間に接続されている、請求項４に記載の血液浄化システム。
【請求項６】
前記血液浄化装置は、前記浄化廃液バッグの浄化廃液の液量を検出する浄化廃液検出部を有し、
前記通信手段は、前記浄化廃液検出部により検出された浄化廃液バッグの浄化廃液の液量に基づいて、前記浄化廃液バッグの浄化廃液が前記浄化液生成装置に回収されるように、前記血液浄化装置と前記浄化液生成装置との間で情報の通信を行う、請求項４又は５に記載の血液浄化システム。
【請求項７】
前記血液浄化装置に設けられ、補液バッグに貯留された補液を前記血液回路の血液中に供給するための補液回路と、
前記浄化液生成装置から前記補液バッグに補液を補充するために、前記血液浄化装置の補液回路と前記浄化液生成装置とを接続する補液補充回路と、
前記通信手段は、前記補液バッグの補液の液量が所定の閾値以下になったときに、前記補液補充回路を通じて前記補液バッグに補液が補充されるように、前記血液浄化装置と前記浄化液生成装置との間で情報の通信を行う、請求項１〜６のいずれかに記載の血液浄化システム。
【請求項８】
前記補液回路には、前記補液バッグの補液を前記血液回路に送るためのチューブポンプが設けられ、
前記補液補充回路は、前記補液回路における前記補液バッグと前記チューブポンプとの間に接続されている、請求項１に記載の血液浄化システム。
【請求項９】
前記血液浄化装置は、前記補液バッグの補液の液量を検出する補液検出部を有し、
前記通信手段は、前記補液検出部により検出された補液バッグの補液の液量に基づいて、前記浄化液生成装置から前記補液バッグに補液が補充されるように、前記血液浄化装置と前記浄化液生成装置との間で通信を行う、請求項７又は８に記載の血液浄化システム。
【請求項１０】
前記血液浄化装置は、前記浄化液回路の浄化液を補液として前記血液回路の血液中に供給するための補液回路をさらに有する、請求項１〜６のいずれかに記載の血液浄化システム。
【請求項１１】
前記血液浄化装置と前記浄化液生成装置には、各々にキャスターが設けられており、
各々が独立して移動可能である、請求項１〜１０のいずれかに記載の血液浄化システム。
【請求項１２】
請求項１〜１１のいずれかに記載の血液浄化システムであって、
持続緩除式の血液浄化処理を行う血液浄化システム。
【発明の詳細な説明】
【技術分野】
【０００１】
本発明は、血液浄化システムに関する。
【背景技術】
【０００２】
血液浄化療法は、患者の血液を体外に取り出し、この血液を血液浄化器で浄化した後、再び体内に戻す治療方法であり、その代表例としては透析療法が挙げられる（特許文献１）。透析療法では、患者血液と透析液を血液浄化器の半透膜を介して接触させ、物質の濃度差により生じる拡散現象を利用して患者血液中から不要物質を透析液側に排出させる。拡散現象のみでは除去できない大分子量の不要物質についてはろ過により排除を行う。透析療法の他、難治性の自己免疫疾患に対して多様な血液浄化療法が保険適応対象となっている。例えば、患者血液から白血球を除去することにより、潰瘍性大腸炎、クローン病、慢性関節リウマチなどの症例を劇的に改善することができる（特許文献２）。これらの血液浄化療法に使用する多様な血液浄化器は、上述した拡散、ろ過といった物質分離の特性の他、吸着性を利用して物質分離を行うものもある。
【０００３】
血液浄化療法は、患者血液を体外に取り出し、この血液を血液浄化器で浄化した後、再び体内に戻すという治療の態様上、その治療時間は少なくとも１時間以上、通常は数時間、治療によっては数十時間を要する。特に、長時間の治療を要する血液浄化療法の例として、持続緩徐式血液浄化法が挙げられる（特許文献３）。持続緩徐式血液浄化法には、持続的血液ろ過法、持続的血液透析法、または持続的血液ろ過透析法などの各種の治療態様があり、救急・集中治療領域において、重篤な循環器系の合併症を有する腎疾患や多臓器不全等の治療に適用される。いずれも、「持続緩徐式」といわれる通り、通常、一回の治療に数日から長い場合は1週間以上の時間をかけながら、徐々に血液浄化が行われる。
【先行技術文献】
【特許文献】
【０００４】
【特許文献１】特開２００７−２６８２５７号公報
【特許文献２】特開２０１０−６３７６１号公報
【特許文献３】特開２００６−０２５８１３号公報
【発明の概要】
【発明が解決しようとする課題】
【０００５】
ところで、血液浄化治療を行う血液浄化装置は、透析液などの浄化液が貯留された浄化液バッグを有し、浄化液バッグは、装置の支柱に吊るされ、当該浄化液バッグから血液浄化器に浄化液が供給されて、血液浄化治療が行われている。よって、血液浄化治療中に、浄化液バッグが空になると、新しい浄化液バッグに交換する必要がある。
【０００６】
上述のように血液浄化治療は、患者血液を体外に取り出し、この血液を血液浄化器で浄化した後、再び体内に戻すという血液浄化療法の原理上、その治療時間は少なくとも１時間以上、通常は数時間、治療によっては数十時間を要する。このため、一回の治療中に浄化液バッグを複数回交換する必要がある。特に、上述の持続緩徐式血液浄化療法では、数日から長い場合は1週間以上の時間をかけて治療を継続するため、治療途中に多数回の浄化液バッグの交換が必要になる。この結果、医師や看護師の負担が大きく、特に、夜間等の交換では負担が増す。また、夜間でも交換が可能なように看護師を常駐配置しなければならず、人件費が高くなり、病院経営における血液浄化治療の高コスト化の原因となっている。
【０００７】
本発明はかかる点に鑑みてなされたものであり、長時間の血液浄化治療における浄化液バッグの交換による医師や看護師の負担を軽減し、血液浄化治療の低コスト化を実現することをその目的とする。
【課題を解決するための手段】
【０００８】
上記目的を達成するための本発明は、体内から取り出された血液を血液浄化器に供給し、当該血液浄化器で浄化された血液を体内に戻す血液回路と、前記血液浄化器に血液の浄化液を供給し排出する浄化液回路とを有し、前記浄化液回路には、前記血液浄化器に供給する浄化液の浄化液バッグが設けられている、血液浄化装置と、前記浄化液を生成する浄化液生成装置と、前記浄化液生成装置で生成された浄化液を、前記血液浄化装置の浄化液バッグに補充するために、前記浄化液生成装置と前記血液浄化装置の浄化液回路とを接続する浄化液補充回路と、前記浄化液バッグの浄化液の液量が所定の閾値以下になったときに、前記浄化液生成装置の浄化液が前記浄化液補充回路を通じて前記浄化液バッグに補充されるように、前記血液浄化装置と前記浄化液生成装置との間で情報の通信を行う通信手段と、を有する、血液浄化システムである。
【０００９】
本発明によれば、浄化液バッグを交換することなく自動で浄化液の補充を行うことができる。これにより、血液浄化治療における医師や看護師の負担を軽減し、血液浄化治療の低コスト化を実現できる。
【００１０】
前記血液浄化システムにおいて、前記浄化液回路には、前記浄化液バッグの浄化液を前記血液浄化器に送るためのチューブポンプが設けられ、前記浄化液補充回路は、前記浄化液回路における前記浄化液バッグと前記チューブポンプとの間に接続されていてもよい。
【００１１】
前記血液浄化装置は、前記浄化液バッグの浄化液の量を検出する浄化液検出部を有し、前記通信手段は、前記浄化液検出部により検出された浄化液バッグの浄化液の液量に基づいて、前記浄化液生成装置の浄化液が前記浄化液バッグに補充されるように、前記血液浄化装置と前記浄化液生成装置との間で情報の通信を行うものであってもよい。
【００１２】
前記血液浄化システムは、前記浄化液回路に設けられ、前記血液浄化器から排出された浄化廃液を貯留する浄化廃液バッグと、前記浄化廃液バッグの浄化廃液を前記浄化液生成装置に回収するために、前記血液浄化装置の浄化液回路と前記浄化液生成装置とを接続する浄化廃液回収回路と、を有し、前記通信手段は、前記浄化廃液バッグの浄化廃液の液量が所定の閾値以上になったときに、前記浄化廃液バッグの浄化廃液が前記浄化廃液回収回路を通じて前記浄化液生成装置に回収されるように、前記血液浄化装置と前記浄化液生成装置との間で情報の通信を行うものであってもよい。
【００１３】
前記浄化液回路には、前記血液浄化器から排出された浄化廃液を前記浄化廃液バッグに送るためのチューブポンプが設けられ、前記浄化廃液回収回路は、前記浄化液回路における前記浄化廃液バッグと前記チューブポンプとの間に接続されていてもよい。
【００１４】
前記血液浄化装置は、前記浄化廃液バッグの浄化廃液の液量を検出する浄化廃液検出部を有し、前記通信手段は、前記浄化廃液検出部により検出された浄化廃液バッグの浄化廃液の液量に基づいて、前記浄化廃液バッグの浄化廃液が前記浄化液生成装置に回収されるように、前記血液浄化装置と前記浄化液生成装置との間で情報の通信を行うものであってもよい。
【００１５】
前記血液浄化システムは、前記血液浄化装置に設けられ、補液バッグに貯留された補液を前記血液回路の血液中に供給するための補液回路と、前記浄化液生成装置から前記補液バッグに補液を補充するために、前記血液浄化装置の補液回路と前記浄化液生成装置とを接続する補液補充回路と、前記通信手段は、前記補液バッグの補液の液量が所定の閾値以下になったときに、前記補液補充回路を通じて前記補液バッグに補液が補充されるように、前記血液浄化装置と前記浄化液生成装置との間で情報の通信を行うものであってもよい。
【００１６】
前記補液回路には、前記補液バッグの補液を前記血液回路に送るためのチューブポンプが設けられ、前記補液補充回路は、前記補液回路における前記補液バッグと前記チューブポンプとの間に接続されていてもよい。
【００１７】
前記血液浄化装置は、前記補液バッグの補液の液量を検出する補液検出部を有し、前記通信手段は、前記補液検出部により検出された補液バッグの補液の液量に基づいて、前記浄化液生成装置から前記補液バッグに補液が補充されるように、前記血液浄化装置と前記浄化液生成装置との間で通信を行うものであってもよい。
【００１８】
前記血液浄化装置は、前記浄化液回路の浄化液を補液として前記血液回路の血液中に供給するための補液回路をさらに有していてもよい。
【００１９】
前記血液浄化装置と前記浄化液生成装置には、各々にキャスターが設けられており、
各々が独立して移動可能であってもよい。
【００２０】
上述の血液浄化システムは、持続緩除式の血液浄化処理を行うものであってもよい。
【発明の効果】
【００２１】
本発明によれば、医師や看護師の負担を軽減できるので、血液浄化治療の低コスト化を実現できる。
【図面の簡単な説明】
【００２２】
【図１】血液浄化システムの構成の概略を示す説明図である。
【図２】浄化廃液回収回路を有する血液浄化システムの構成の概略を示す説明図である。
【図３】補液補充回路を有する血液浄化システムの構成の概略を示す説明図である。
【図４】補液補充回路が浄化液回路に接続されている血液浄化システムの構成の概略を示す説明図である。
【発明を実施するための形態】
【００２３】
以下、図面を参照して、本発明の好ましい実施の形態について説明する。図１は、本実施の形態に係る血液浄化システムＡの構成の概略を示す説明図である。
【００２４】
血液浄化システムＡは、血液浄化処理を行う血液浄化装置１と、血液浄化処理に用いる透析液などの浄化液を生成する浄化液生成装置２と、浄化液生成装置２で生成された浄化液を血液浄化装置１に補充するための浄化液補充回路３と、血液浄化装置１と浄化液生成装置２との間で情報を通信するための通信手段４とを有している。
【００２５】
血液浄化装置１は、例えば体内から取り出された血液を血液浄化器１０に供給し、当該血液浄化器１０で浄化された血液を体内に戻すための血液回路１１と、血液浄化器１０に血液の浄化液を供給しその後排出する浄化液回路１２と、血液回路１１の血液中に補液を供給するための補液回路１３と、血液浄化装置１の各種回路や装置の動作の制御を行う制御装置１４を有している。
【００２６】
血液回路１１は、例えばチューブ状の流路であり、採血穿刺部２０から血液浄化器１０の接続される採血流路２１と、血液浄化器１０から返血穿刺部２２に接続される返血流路２３を有している。採血流路２１は、流路のチューブを外側から扱いて液送するチューブポンプ３０が設けられている。返血流路２３には、例えば気泡を排出するためのドリップチャンバ３１が設けられている。
【００２７】
血液浄化器１０は、例えば浄化膜としての中空糸膜４０を有し、中空糸膜４０の一次側４１に血液が流れる。中空糸膜４０の二次側４２には、浄化液が流れる。
【００２８】
浄化液回路１２は、例えば浄化液バッグ５０から血液浄化器１０の二次側４２に接続されたチューブ状の浄化液供給流路５１と、血液浄化器１０の二次側４２から浄化廃液バッグ５２に接続されたチューブ状の浄化廃液排出流路５３を有している。浄化液バッグ５０、浄化廃液バッグ５２は、例えば装置内の図示しない支柱に吊下げられている。
【００２９】
浄化液供給流路５１には、チューブポンプ６０が設けられ、浄化廃液排出流路５３には、チューブポンプ６１が設けられている。チューブポンプ６０、６１の駆動により、浄化液バッグ５０の浄化液が浄化液供給流路５１を通じて血液浄化器１０の二次側４２に供給され、当該血液浄化器１０で一次側４１から血液中の不要物質を取り入れた浄化廃液が浄化廃液排出流路５３を通じて浄化廃液バッグ５２に排出される。
【００３０】
補液回路１３は、例えば補液バッグ７０から返血流路２３に接続されている。補液回路１３には、チューブポンプ７１が設けられている。チューブポンプ７１の駆動により、補液バッグ７０の補液が補液回路１３を通じて返血流路２３に供給される。これにより、浄化後の血液に水分等の補液を補充できる。
【００３１】
浄化液バッグ５０には、浄化液検出部としての重量計８０が設けられ、浄化液バッグ５０内の液量を検出できる。当該重量計８０による液量の検出結果は、制御装置１４に出力される。
【００３２】
制御装置１４は、チューブポンプ３０、６０、６１、７１等の動作を制御して血液浄化処理を実行できる。また、制御装置１４は、重量計８０により浄化液バッグ５０内の液量をモニタリングすることにより、浄化液バッグ５０の液量が所定の下限閾値以下になったか否かを検出できる。
【００３３】
浄化液生成装置２は、例えば浄化液の原料が貯留された例えば２つの原料タンク９０、９１と、原料に加える水などの溶媒が貯留された溶媒タンク９２と、原料と溶媒を混合する混合タンク９３と、原料タンク９０、９１や溶媒タンク９２から原料や溶媒を混合タンク９３に送るための浄化液生成回路９４と、浄化液生成装置２の各種回路や装置を制御する制御装置９５等を有している。
【００３４】
例えば浄化液生成回路９４には、バルブ９６、９７、９８が設けられており、これらのバルブ９６〜９８を開放することにより、原料タンク９０、９１から混合タンク９３への原料の供給、溶媒タンク９２から混合タンク９３への溶媒の供給を行うことができる。
【００３５】
制御装置９５は、例えばバルブ９６〜９８の開閉による浄化液の生成や生成の停止、後述のチューブポンプ１００による血液浄化装置１への浄化液の補充や補充の停止を制御できる。
【００３６】
浄化液補充回路３は、例えばチューブ状に形成され、浄化液生成装置２の混合タンク９３から血液浄化装置１の浄化液供給流路５１に接続されている。浄化液補充回路３は、例えば浄化液供給流路５１のチューブポンプ６０と浄化液バッグ５０との間に接続されている。浄化液補充回路３には、チューブポンプ１００が設けられている。チューブポンプ１００は、例えば浄化液生成装置２に設けられている。血液浄化装置１と浄化液生成装置２が連結、離脱可能になるように、浄化液補充回路３は、いずれかの部分で接続、分離可能に構成されている。
【００３７】
通信手段４は、例えば血液浄化装置１と浄化液生成装置２にそれぞれ、情報通信のインターフェイスとなる通信部１１０、１１１を有している。通信部１１０、１１１は、互いに有線、或いは無線により通信できる。有線の場合には、血液浄化装置１と浄化液生成装置２が連結、離脱可能になるように、情報線が通信部１１０、１１１間で連結、離脱できるようになっている。通信手段４は、浄化液バッグ５０の浄化液の液量が所定の下限閾値以下になったときに、浄化液生成装置２の浄化液が浄化液補充回路３を通じて浄化液バッグ５０に補充されるように、血液浄化装置１と浄化液生成装置２との間で信号のやり取りを行う。
【００３８】
具体的には、血液浄化装置１の制御装置１４が、重量計８０による浄化液バッグ５０の重量をモニタリングし、浄化液バッグ５０の浄化液の液量が所定の下限閾値以下になったときに、当該浄化液の液量低下情報が制御装置１４から通信部１１０に出力される。通信部１１０は、当該液量低下情報を浄化液生成装置２側の通信部１１１に送信し、通信部１１１は、当該情報を制御装置９５に出力する。制御装置９５は、当該液量低下情報に基づいて、チューブポンプ１００を駆動させ、浄化液生成装置２から浄化液バッグ５０への浄化液の補充を行う。また、浄化液バッグ５０の浄化液の液量が所定の上限閾値になったときには、当該浄化液の液量上限情報が制御装置１４から通信部１１０に出力される。通信部１１０は、当該液量上限情報を浄化液生成装置２側の通信部１１１に送信し、通信部１１１は、当該情報を制御装置９５に出力する。制御装置９５は、当該液量上限情報に基づいて、チューブポンプ１００を停止させ、浄化液生成装置２から浄化液バッグ５０への浄化液の補充を停止する。
【００３９】
例えば血液浄化装置１と浄化液生成装置２には、各々にキャスター１１５が設けられ、各々が独立して移動できる。
【００４０】
次に、以上のように構成された血液浄化システムＡの動作の一例を説明する。持続緩除式の血液浄化処理において、チューブポンプ３０、６０、６１、７１が稼働する。これにより、患者の血液が、採血穿刺部２０から採血流路２１を通って血液浄化器１０の一次側４１に送られる。また、透析液である浄化液が浄化液バッグ５０から浄化液供給流路５１を通って血液浄化器１０の二次側４２に送られる。血液浄化器１０では、浸透圧により、一次側４１の血液中の不要物質が中空糸膜４０を通過し、二次側４２に流入して血液が浄化される。浄化された血液は、返血流路２３を通って返血穿刺部２２から患者に戻される。また、血液浄化器１０の二次側４２において不要物質を取り込んだ浄化廃液は、浄化廃液排出回路５３を通って浄化廃液バッグ５２に収容される。また、補液バッグ７０からは、補液が補液回路１３を通じて返血回路２３の血液中に供給され、血液浄化器１０で減少した分の血中の水分が補充される。
【００４１】
血液浄化処理中、重量計８０により浄化液バッグ５０内に浄化液の液量がモニタリングされる。そして、浄化液バッグ５０内の浄化液の液量が所定の下限閾値以下になると、その液量低下情報が通信部１１０から通信部１１１に送られる。浄化液の液量低下情報を受信した浄化液生成装置２では、チューブポンプ１００が駆動し、混合タンク９３の浄化液が浄化液供給流路５１に送られる。浄化液供給流路５１では、チューブポンプ６０により血液浄化器１０側への流れが制限されているため、浄化液供給流路５１に流入した浄化液は、浄化液バッグ５０内に流入する。なお、このとき、例えばチューブポンプ６０は稼働し続けており、血液浄化処理が中断されない。そして、浄化液バッグ５０内の浄化液の液量が所定の上限閾値になったときに、当該液量上限情報が通信部１１０から通信部１１１に送られ、チューブポンプ１００が停止される。これにより、浄化液生成装置２から血液浄化装置１への浄化液の供給が停止され、浄化液バッグ５０への浄化液の補充が終了する。
【００４２】
本実施の形態によれば、血液浄化装置１に浄化液生成装置２を接続して、浄化液バッグ５０を交換せずに自動で浄化液の補充を行うことができる。これにより、血液浄化治療中に人が浄化液バッグ５０を交換する必要がなく、長時間の血液浄化治療における医師や看護師の負担を軽減し、血液浄化治療の低コスト化を実現できる。
【００４３】
また、本実施の形態によれば、浄化液補充回路３が浄化液回路１２における浄化液バッグ５０とチューブポンプ６０との間に接続されている。これにより、チューブポンプ６０が浄化液回路１２の血液浄化器１０側への流れを制限するので、例えば浄化液補充回路３を浄化液バッグ５０に直接接続しなくても浄化液回路１２に接続して、浄化液を好適に補充できる。この結果、従来から用いられていた構造の浄化液バッグ５０をそのまま使用できる。また、チューブポンプ６０と浄化液バッグ５０との間が閉鎖系になっているので、チューブポンプ６０を稼働させ、所定量の浄化液を血液浄化器１０に供給しながら、浄化液バッグ５０に浄化液を補充することができる。したがって、血液浄化処理を中断せずに浄化液の補充を行うことができるので、血液浄化治療の時間を短縮し、患者への負担も低減できる。なお、浄化液補充回路３は、必ずしも浄化液回路１２における浄化液バッグ５０とチューブポンプ６０との間に接続されている必要はなく、浄化液バッグ５０に直接接続されていてもよい。また、血液浄化処理を一旦中断して浄化液の補充を行ってもよい。
【００４４】
本実施の形態によれば、浄化液バッグ５０に重量計８０を設け、通信手段４が、重量計８０により検出された浄化液バッグ５０の浄化液の液量に基づいて、浄化液生成装置２の浄化液が浄化液バッグ５０に補充されるように、血液浄化装置１と浄化液生成装置２との間で情報の通信を行うので、浄化液バッグ５０への浄化液の補充を適切なタイミングで好適に行うことができる。
【００４５】
血液浄化装置１と浄化液生成装置２には、各々にキャスター１１５が設けられており、各々が独立して移動可能であるので、血液浄化装置１と浄化液生成装置２を切り離して個別に移動させることができる。これにより、必要に応じて血液浄化装置１と浄化液生成装置２を着脱することができる。
【００４６】
なお、浄化液生成装置２における浄化液の生成は、例えば混合タンク９３の液量が低下したときに適宜行われてもよいし、浄化液バッグ８０に浄化液を補充するときに行われてもよし、その両方であってもよい。
【００４７】
以上の実施の形態において、図２に示すように血液浄化システムＡが、浄化廃液バッグ５２の浄化廃液を浄化液生成装置２に回収するために、血液浄化装置１の浄化液回路１２と浄化液生成装置２とを接続する浄化廃液回収回路１２０をさらに有していてもよい。浄化廃液回収回路１２０は、例えば浄化液生成装置２に設けられた浄化廃液タンク１２１から浄化廃液排出流路５３に接続されている。浄化廃液回収回路１２０は、浄化廃液バッグ５２とチューブポンプ６１との間に接続されている。浄化廃液回収回路１２０には、チューブポンプ１２２が設けられている。浄化廃液バッグ５２には、バッグ内の浄化廃液の液量を検出する浄化廃液検出部としての重量計１２３が設けられている。重量計１２３による計測結果は、制御装置１４に出力される。
【００４８】
そして、血液浄化処理中、重量計１２３により浄化廃液バッグ５２内の浄化廃液の液量がモニタリングされる。浄化廃液バッグ５２内の浄化廃液の液量が所定の上限閾値以上になると、その液量増加情報が、通信部１１０から通信部１１１に送られる。浄化廃液の液量増加情報を受信した浄化液生成装置２では、チューブポンプ１２２が稼働され、浄化廃液バッグ５２の浄化廃液が浄化廃液排出流路５３、浄化廃液回収回路１２０を通じて浄化廃液タンク１２１に送られる。なお、このとき、チューブポンプ６１は稼働し続けており、例えば血液浄化処理が中断されない。そして、浄化廃液バッグ５２内の浄化廃液の液量が所定の下限閾値になったときに、当該液量下限情報が通信部１１０から通信部１１１に送られ、チューブポンプ１２２が停止される。これにより、血液浄化装置１から浄化液生成装置２への浄化廃液の回収が停止される。
【００４９】
かかる例によれば、浄化廃液バッグ５２の浄化廃液の回収を自動で行うことができるので、浄化廃液バッグ５０を交換する必要がなく、長時間の血液浄化治療における医師や看護師の負担を軽減できる。
【００５０】
また、浄化廃液回収回路１２０が、浄化液回路１２における浄化廃液バッグ５２とチューブポンプ６１との間に接続されている。これにより、チューブポンプ６１が浄化廃液排出回路５３の浄化廃液バッグ５２側への流れを規制するので、浄化廃液回収回路１２０を浄化廃液バッグ５２に直接接続しなくても浄化廃液排出回路５３に接続して、浄化廃液を好適に回収できる。この結果、従来から用いられていた構造の浄化廃液バッグ５２をそのまま使用できる。また、チューブポンプ６１と浄化廃液バッグ５２との間が閉鎖系になっているので、チューブポンプ６１を稼働させ、浄化廃液を血液浄化器１０から排出しながら、浄化廃液バッグ５２から浄化廃液を回収できる。したがって、血液浄化処理を中断せずに洗浄廃液の回収を行うことができるので、血液浄化治療の時間を短縮し、患者への負担も低減できる。なお、浄化廃液回収回路１２０は、必ずしも浄化液回路１２における浄化廃液バッグ５２とチューブポンプ６１との間に接続されている必要はなく、浄化廃液バッグ５２に直接接続されていてもよい。また、血液浄化処理を一旦中断して浄化廃液の回収を行ってもよい。
【００５１】
また、本実施の形態によれば、浄化廃液バッグ５２に重量計１２３を設け、通信手段４が、重量計１２３により検出された浄化廃液バッグ５２の浄化廃液の液量に基づいて、浄化廃液バッグ５２の浄化廃液が浄化液生成装置２に回収されるように、血液浄化装置１と浄化液生成装置２との間で情報の通信を行うので、浄化廃液液バッグ５２からの浄化廃液の回収を適切なタイミングで好適に行うことができる。
【００５２】
なお、浄化液生成装置２は、浄化廃液タンク１２１を必ずしも備えている必要はなく、浄化廃液回収回路１２０から外部の排液ラインに接続できるようになっていてもよい。かかる場合、浄化液生成装置２に回収された浄化廃液は、外部の排液ラインに送られて排液される。
【００５３】
以上の実施の形態において、例えば図３に示すように血液浄化システムＡが、浄化液生成装置２から血液浄化装置１の補液バッグ７０に補液を補充するために、補液回路１３と浄化液生成装置２とを接続する補液補充回路１３０を有していてもよい。補液補充回路１３０は、例えば浄化液生成装置２に設けられた補液タンク１３１から補液回路１３に接続されている。補液補充回路１３０は、補液バッグ７０とチューブポンプ７１との間に接続されている。補液補充回路１３０には、チューブポンプ１３２が設けられている。補液バッグ７１には、バッグ内の補液の液量を検出する補液検出部としての重量計１３３が設けられている。重量計１３３による計測結果は、制御装置１４に出力される。
【００５４】
そして、血液浄化処理中、重量計１３３により補液バッグ７０内の補液の液量がモニタリングされる。補液バッグ７０内の補液の液量が所定の下限閾値以下になると、その液量低下情報が、通信部１１０から通信部１１１側に送られる。補液の液量低下情報を受信した浄化液生成装置２では、チューブポンプ１３２が稼働され、補液タンク１３１の補液が補液補充回路１３０及び補液回路１３を通じて補液バッグ７０に送られる。なお、このとき、例えばチューブポンプ７１は稼働し続けており、血液浄化処理が中断されない。そして、補液バッグ７０内の補液の液量が所定の上限閾値になったときに、当該液量上限情報が通信部１１０から通信部１１１に送られ、チューブポンプ１３２が停止される。これにより、浄化液生成装置２から血液浄化装置１への補液の供給が停止され、補液バッグ７０への補液の補充が停止する。
【００５５】
かかる例によれば、補液バッグ７０の補液の補充を自動で行うことができるので、補液バッグ７０を交換する必要がなく、長時間の血液浄化治療における医師や看護師の負担を軽減できる。
【００５６】
また、補液補充回路１３０は、補液回路１３における補液バッグ７０とチューブポンプ７１との間に接続されている。これにより、チューブポンプ７１が補液回路１３の血液回路１１側の流れを制限するので、補液補充回路１３０を補液バッグ７０に直接接続しなくても補液回路１３に接続して、補液を好適に補充できる。この結果、従来から用いられていた構造の補液バッグ７０をそのまま使用できる。また、チューブポンプ７１と補液バッグ７０との間が閉鎖系になっているので、チューブポンプ７１を稼働させ、補液を血液回路１１に供給しながら、補液バッグ７０に補液を補充できる。したがって、血液浄化処理を中断せずに補液を補充することができるので、血液浄化治療の時間を短縮し、患者への負担も低減できる。なお、補液補充回路１３０は、必ずしも補液回路１３における補液バッグ７０とチューブポンプ７１との間に接続されている必要はなく、補液バッグ７０に直接接続されていてもよい。また、血液浄化処理を一旦中断して補液の補充を行ってもよい。
【００５７】
本実施の形態によれば、補液バッグ７０に重量計１３３を設け、通信手段４が、重量計１３３により検出された補液バッグ７０の補液の液量に基づいて、浄化液生成装置２から補液バッグ７０に補液が補充されるように、血液浄化装置１と浄化液生成装置２との間で通信を行うので、補液バッグ７０への補液の補充を適切なタイミングで好適に行うことができる。
【００５８】
なお、浄化液生成装置２は、補液タンク１３１を必ずしも備えている必要はなく、例えば浄化液を補液として用いることができる場合には、補液補充回路１３０が混合タンク９３に接続されていてもよい。
【００５９】
図４に示すように補液回路１３が、浄化液回路１２の浄化液を補液として血液回路１１の血液中に供給するようにしてもよい。かかる場合、補液回路１３は、浄化液回路１２のチューブポンプ６１と浄化液バッグ５０との間の浄化液供給流路５１から、血液回路１１の返血流路２３に接続されている。なおこの場合、補液回路１３には、個別の補液バッグが必要ない。血液浄化処理時には、チューブポンプ７１の駆動により、補液としての浄化液が浄化液バッグ５０から浄化液供給流路５１、補液回路１３を通じて返血流路２３に送られて、血液中に補液が供給される。また、上述のように浄化液バッグ５０の浄化液が減った場合に、浄化液生成装置２から浄化液バッグ５０に浄化液を補充することにより、補液の補充を行うことができる。したがって、補液の補充を自動で行うことができる。
【００６０】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００６１】
例えば上記実施の形態では、浄化液検出部、浄化廃液検出部、補液検出部として重量計が用いられていたが、これに限られず、空検出器、液面のレベルセンサなど他の検出器を用いてもよい。また、上記実施の形態において、浄化液検出部や浄化廃液検出部として個別の重量計を用いていたが、同じ重量計を用いてもよい。かかる場合、例えば浄化液バッグが空になったことを検出する空検出器や、浄化液バッグの液量がある値まで減少したことを検出する液面のレベルセンサ等の検出器を併用する。そして、この検出器により浄化液バッグの液量を把握し、この浄化液バッグの液量と、重量計による総重量から浄化廃液バッグの液量を算出する。或いは、浄化廃液バッグが一杯になったことをポンプ回転数から換算して算出する算出手段や、浄化廃液バッグの液量がある値まで増加したことを検出する液面レベルセンサの検出器を併用する。そして、算出手段や検出器により浄化廃液バッグの液量を把握し、この浄化廃液バッグの液量と、重量計による総重量から浄化液バッグの液量を算出する。
【００６２】
以上の実施の形態で記載したポンプ１００、１２２、１３２は、チューブポンプに限られず、プランジャーポンプ（ピストン方式）などの他の定量ポンプであってもよい。また、チューブポンプ１００、１２２は、二本のチューブを扱いて送液するダブルチューブポンプであってもよい。また、上記実施の形態における血液浄化装置１、浄化液生成装置２の回路構成は、これらに限られない。また、通信手段４の構成も上記実施の形態のものに限られず、血液浄化装置１と浄化液生成装置２との間で通信できるものであれば他の構成のものであってもよい。また、以上の実施の形態は、持続的血液透析法を行う血液浄化システム１であったが、浄化液を用いるものであれば、持続的血液ろ過法、持続的血液ろ過透析法等の各種持続緩徐式血液浄化法を行うものに本発明は適用できる。また、持続緩除式血液浄化法以外の血液浄化処理にも本発明を適用してもよい。
【符号の説明】
【００６３】
Ａ  血液浄化システム
１  血液浄化装置
２  浄化液生成装置
３  浄化液補充回路
４  通信手段
１０  血液浄化器
１１  血液回路
１２  浄化液回路
１３  補液回路
１４  制御装置
２０  採血穿刺部
２１  採血流路
２２  返血穿刺部
２３  返血流路
３０  チューブポンプ
３１  ドリップチャンバ
４０  中空糸膜
４１  一次側
４２  二次側
５０  浄化液バッグ
５１  浄化液供給流路
５２  浄化廃液バッグ
５３  浄化廃液排出流路
６０  チューブポンプ
６１  チューブポンプ
７０  補液バッグ
７１  チューブポンプ
８０  重量計
９０、９１  原料タンク
９２  溶媒タンク
９３  混合タンク
９４  浄化液生成回路
９５  制御装置
９６、９７、９８  バルブ
１００  チューブポンプ
１１０、１１１  通信部
１１５  キャスター
１２０  浄化廃液回収回路
１２１  浄化廃液タンク
１２２  チューブポンプ
１２３  重量計
１３０  補液補充回路
１３１  補液タンク
１３２  チューブポンプ
１３３  重量計
【図１】
2012200275.tif 000003
【図２】
2012200275.tif 000004
【図３】
2012200275.tif 000005
【図４】
2012200275.tif 000006